(57)【特許請求の範囲】
【請求項１】
マルチメディアブロードキャスト／マルチキャストサービスのための少なくとも一つのサブフレーム割当パターンに対する制御情報を構成する方法であって、
少なくとも１つの無線フレームを単位として、前記マルチメディアブロードキャスト／マルチキャストサービスに割当可能なサブフレームを決定するステップと、
無線フレーム単位で、前記マルチメディアブロードキャスト／マルチキャストサービスに割当可能なサブフレームのうち、実際に前記マルチメディアブロードキャスト／マルチキャストサービスに割り当てられたサブフレームの各々の割当パターンの周期を比較し、前記少なくとも１つのサブフレーム割当パターンが繰り返される共通サブフレーム割当周期を設定するステップと、
前記共通サブフレーム割当周期内で前記マルチメディアブロードキャスト／マルチキャストサービスのために割り当てられた少なくとも１つのサブフレームについての情報を含む制御情報を構成するステップと、
を含み、
前記少なくとも１つのサブフレームについての情報は、第１のマルチメディアブロードキャスト／マルチキャストサービスデータと第２のマルチメディアブロードキャスト／マルチキャストサービスデータに共通の資源割当周期を含んでおり、前記少なくとも１つのサブフレームについての情報は、第１の資源割当パターンと第２の資源割当パターンとを含んでおり、前記第１の資源割当パターンは、前記資源割当周期の間にＭ回（Ｍは自然数）繰り返され、前記第２の資源割当パターンは、前記資源割当周期の間にＮ回（Ｎは自然数）繰り返され、
前記少なくとも１つのサブフレームについての情報は、前記資源割当周期に含まれるマルチメディアブロードキャスト／マルチキャストサービスサブフレームの間に、前記第１のマルチメディアブロードキャスト／マルチキャストサービスデータに割り当てられる最後のマルチメディアブロードキャスト／マルチキャストサービスサブフレームについての第３の情報と、前記資源割当周期に含まれるマルチメディアブロードキャスト／マルチキャストサービスサブフレームの間に、前記第２のマルチメディアブロードキャスト／マルチキャストサービスデータに割り当てられる最後のマルチメディアブロードキャスト／マルチキャストサービスサブフレームについての第４の情報とを、さらに含んでおり、前記第３の情報は、前記第１のマルチメディアブロードキャスト／マルチキャストサービスデータに割り当てられる最後のマルチメディアブロードキャスト／マルチキャストサービスサブフレームの位置を示すインデックス値であり、前記第４の情報は、前記第２のマルチメディアブロードキャスト／マルチキャストサービスデータに割り当てられる最後のマルチメディアブロードキャスト／マルチキャストサービスサブフレームの位置を示すインデックス値である、
ことを特徴とする方法。
【請求項２】
前記制御情報は、
前記共通サブフレーム割当周期内で前記マルチメディアブロードキャスト／マルチキャストサービスに割当可能な少なくとも１つのサブフレームについての上位制御情報と、
前記マルチメディアブロードキャスト／マルチキャストサービスのために、少なくとも１つのマルチキャストチャネルに割り当てられる、少なくとも１つのサブフレームについての情報を含む下位制御情報と、を含むことを特徴とする請求項１に記載の方法。
【請求項３】
前記上位制御情報および前記下位制御情報のうちの少なくとも１つは、対応するサブフレームを示すビットマップとして表されることを特徴とする請求項２に記載の方法。
【請求項４】
前記マルチメディアブロードキャスト／マルチキャストサービスに割当可能なサブフレームは、マルチキャストブロードキャスト単一周波数ネットワークサブフレームであることを特徴とする請求項１に記載の方法。
【請求項５】
前記下位制御情報は、前記マルチキャストチャネルを分類するために用いられる情報として、各マルチキャストチャネルに割り当てられた最後のサブフレームの位置についての情報を含むことを特徴とする請求項２に記載の方法。
【請求項６】
前記少なくとも１つのサブフレーム割当パターンが繰り返される前記共通サブフレーム割当周期は、少なくとも１つのマルチキャストチャネルのための少なくとも１つのサブフレーム割当パターンが繰り返される最小周期に設定されることを特徴とする請求項１に記載の方法。
【請求項７】
前記マルチメディアブロードキャスト／マルチキャストサービスに割当可能なサブフレームの数は、周波数分割双方向構造に基づく６であることを特徴とする請求項１に記載の方法。
【請求項８】
マルチメディアブロードキャスト／マルチキャストデータを受信する方法であって、
少なくとも１つの基地局から、マルチメディアブロードキャスト／マルチキャストサービスのための無線資源割当についての制御情報を受信するステップと、
前記制御情報により示される無線資源を用いて、マルチメディアブロードキャスト／マルチキャストデータを受信するステップと、を備え、
前記マルチメディアブロードキャスト／マルチキャストサービスのための前記無線資源割当についての前記制御情報は、共通サブフレーム割当周期内で前記マルチメディアブロードキャスト／マルチキャストサービスのために割り当てられる少なくとも１つのサブフレームについての情報を含み、
前記共通サブフレーム割当周期内で、前記マルチメディアブロードキャスト／マルチキャストサービスに割当可能なサブフレームのうちで、実際に前記マルチメディアブロードキャスト／マルチキャストサービスに割り当てられた少なくとも１つのサブフレーム割当パターンが繰り返され、
前記少なくとも１つのサブフレームについての情報は、第１のマルチメディアブロードキャスト／マルチキャストサービスデータと第２のマルチメディアブロードキャスト／マルチキャストサービスデータに共通の資源割当周期を含んでおり、前記少なくとも１つのサブフレームについての情報は、第１の資源割当パターンと第２の資源割当パターンとを含んでおり、前記第１の資源割当パターンは、前記資源割当周期の間にＭ回（Ｍは自然数）繰り返され、前記第２の資源割当パターンは、前記資源割当周期の間にＮ回（Ｎは自然数）繰り返され、
前記少なくとも１つのサブフレームについての情報は、前記資源割当周期に含まれるマルチメディアブロードキャスト／マルチキャストサービスサブフレームの間に、前記第１のマルチメディアブロードキャスト／マルチキャストサービスデータに割り当てられる最後のマルチメディアブロードキャスト／マルチキャストサービスサブフレームについての第３の情報と、前記資源割当周期に含まれるマルチメディアブロードキャスト／マルチキャストサービスサブフレームの間に、前記第２のマルチメディアブロードキャスト／マルチキャストサービスデータに割り当てられる最後のマルチメディアブロードキャスト／マルチキャストサービスサブフレームについての第４の情報とを、さらに含んでおり、前記第３の情報は、前記第１のマルチメディアブロードキャスト／マルチキャストサービスデータに割り当てられる最後のマルチメディアブロードキャスト／マルチキャストサービスサブフレームの位置を示すインデックス値であり、前記第４の情報は、前記第２のマルチメディアブロードキャスト／マルチキャストサービスデータに割り当てられる最後のマルチメディアブロードキャスト／マルチキャストサービスサブフレームの位置を示すインデックス値である、
ことを特徴とする方法。
【請求項９】
前記制御情報は、
前記共通サブフレーム割当周期内で前記マルチメディアブロードキャスト／マルチキャストサービスに割当可能な少なくとも１つのサブフレームについての上位制御情報と、
前記マルチメディアブロードキャスト／マルチキャストサービスのために、少なくとも１つのマルチキャストチャネルに割り当てられる、少なくとも１つのサブフレームについての情報を含む下位制御情報と、を含むことを特徴とする請求項８に記載の方法。
【請求項１０】
前記上位制御情報および前記下位制御情報のうちの少なくとも１つは、対応するサブフレームを示すビットマップとして表されることを特徴とする請求項９に記載の方法。
【請求項１１】
前記マルチメディアブロードキャスト／マルチキャストサービスに割当可能なサブフレームは、マルチキャストブロードキャスト単一周波数ネットワークサブフレームであることを特徴とする請求項８に記載の方法。
【請求項１２】
前記下位制御情報は、前記マルチキャストチャネルを分類するために用いられる情報として、各マルチキャストチャネルに割り当てられた最後のサブフレームの位置についての情報を含むことを特徴とする請求項９に記載の方法。
【請求項１３】
前記少なくとも１つのサブフレーム割当パターンが繰り返される前記共通サブフレーム割当周期は、少なくとも１つのマルチキャストチャネルのための少なくとも１つのサブフレーム割当パターンが繰り返される最小周期に設定されることを特徴とする請求項８に記載の方法。
【請求項１４】
前記マルチメディアブロードキャスト／マルチキャストサービスに割当可能なサブフレームの数は、周波数分割双方向構造に基づく６であることを特徴とする請求項８に記載の方法。
【請求項１５】
マルチメディアブロードキャスト／マルチキャストサービスデータを送信する方法であって、
複数のサブフレームのうちのマルチキャストブロードキャスト単一周波数ネットワークサブフレームを示す第１の情報を送信するステップと、
前記マルチキャストブロードキャスト単一周波数ネットワークサブフレームのうちのマルチメディアブロードキャスト／マルチキャストサービスサブフレームを示す第２の情報を送信するステップと、
前記マルチメディアブロードキャスト／マルチキャストサービスサブフレームを用いて、第１のマルチメディアブロードキャスト／マルチキャストサービスデータおよび第２のマルチメディアブロードキャスト／マルチキャストサービスデータを送信するステップと、を備え、
前記第２の情報は、前記第１のマルチメディアブロードキャスト／マルチキャストサービスデータおよび前記第２のマルチメディアブロードキャスト／マルチキャストサービスデータに共通する資源割当周期を含み、
前記第２の情報は第１の資源割当パターンおよび第２の資源割当パターンを含み、
前記第１の資源割当パターンは、前記資源割当周期の間にＭ回繰り返され、
前記第２の資源割当パターンは、前記資源割当周期の間にＮ回繰り返され、
前記Ｍおよび前記Ｎは１以上の整数であり、
前記第２の情報は、さらに、
前記資源割当周期に含まれるマルチメディアブロードキャスト／マルチキャストサービスサブフレームの間に、前記第１のマルチメディアブロードキャスト／マルチキャストサービスデータに割り当てられる最後のマルチメディアブロードキャスト／マルチキャストサービスサブフレームについての第３の情報と、前記資源割当周期に含まれるマルチメディアブロードキャスト／マルチキャストサービスサブフレームの間に、前記第２のマルチメディアブロードキャスト／マルチキャストサービスデータに割り当てられる最後のマルチメディアブロードキャスト／マルチキャストサービスサブフレームについての第４の情報と、を含み、
前記第３の情報は、前記第１のマルチメディアブロードキャスト／マルチキャストサービスデータに割り当てられる最後のマルチメディアブロードキャスト／マルチキャストサービスサブフレームの位置を示すインデックス値であり、
前記第４の情報は、前記第２のマルチメディアブロードキャスト／マルチキャストサービスデータに割り当てられる最後のマルチメディアブロードキャスト／マルチキャストサービスサブフレームの位置を示すインデックス値である、
ことを特徴とする方法。
【請求項１６】
前記Ｍは、前記第１の資源割当パターンの周期およびオフセットにより決定され、
前記Ｎは、前記第２の資源割当パターンの周期およびオフセットにより決定されることを特徴とする請求項１５に記載の方法。
【請求項１７】
マルチメディアブロードキャスト／マルチキャストサービスデータを受信する方法であって、
複数のサブフレームのうちのマルチキャストブロードキャスト単一周波数ネットワークサブフレームを示す第１の情報を受信するステップと、
前記マルチキャストブロードキャスト単一周波数ネットワークサブフレームのうちのマルチメディアブロードキャスト／マルチキャストサービスサブフレームを示す第２の情報を受信するステップと、
前記マルチメディアブロードキャスト／マルチキャストサービスサブフレームを用いて、第１のマルチメディアブロードキャスト／マルチキャストサービスデータおよび第２のマルチメディアブロードキャスト／マルチキャストサービスデータを受信するステップと、を備え、
前記第２の情報は、第１のマルチメディアブロードキャスト／マルチキャストサービスデータと第２のマルチメディアブロードキャスト／マルチキャストサービスデータに共通の資源割当周期を含んでおり、前記第２の情報は、第１の資源割当パターンと第２の資源割当パターンとを含んでおり、前記第１の資源割当パターンは、前記資源割当周期の間にＭ回（Ｍは１以上の整数）繰り返され、前記第２の資源割当パターンは、前記資源割当周期の間にＮ回（Ｎは１以上の整数）繰り返され、
前記第２の情報は、さらに、前記資源割当周期に含まれるマルチメディアブロードキャスト／マルチキャストサービスサブフレームの間に、前記第１のマルチメディアブロードキャスト／マルチキャストサービスデータに割り当てられる最後のマルチメディアブロードキャスト／マルチキャストサービスサブフレームについての第３の情報と、前記資源割当周期に含まれるマルチメディアブロードキャスト／マルチキャストサービスサブフレームの間に、前記第２のマルチメディアブロードキャスト／マルチキャストサービスデータに割り当てられる最後のマルチメディアブロードキャスト／マルチキャストサービスサブフレームについての第４の情報と、を含み、前記第３の情報は、前記第１のマルチメディアブロードキャスト／マルチキャストサービスデータに割り当てられる最後のマルチメディアブロードキャスト／マルチキャストサービスサブフレームの位置を示すインデックス値であり、前記第４の情報は、前記第２のマルチメディアブロードキャスト／マルチキャストサービスデータに割り当てられる最後のマルチメディアブロードキャスト／マルチキャストサービスサブフレームの位置を示すインデックス値である、
ことを特徴とする方法。
【発明の詳細な説明】
【技術分野】
【０００１】
本発明は、無線通信のための制御情報の構成方法に関し、より詳細には、マルチキャストブロードキャストサービス(ＭＢＭＳ)のためのシステム情報を構成する方法に関する。
【背景技術】
【０００２】
現在、標準化作業が進行されている３ＧＰＰ基盤のＬＴＥ(Ｌｏｎｇ Ｔｅｒｍ Ｅｖｏｌｕｔｉｏｎ)移動通信システムは、パケット基盤の移動通信網で多様な高速データサービスを提供するように進化された次世代通信システムである。その例として、音声サービス、パケットデータサービスと共に移動通信網を通じたマルチメディアコンテンツの伝送をブロードキャスト形態や多重伝送形態でサービス可能とするサービス技術(Ｍｕｌｔｉｍｅｄｉａ Ｂｒｏａｄｃａｓｔ/Ｍｕｌｔｉｃａｓｔ Ｓｅｒｖｉｃｅ：以下、ＭＢＭＳサービスと称する)を導入している。
【０００３】
一つのセルまたは多数のセルに同一なデータをブロードキャストまたはマルチキャストするサービスをＭＢＭＳ(Ｍｕｌｔｉｍｅｄｉａ Ｂｒｏａｄｃａｓｔ Ｍｕｌｔｉｃａｓｔ Ｓｅｒｖｉｃｅ)またはＭＢＳ(Ｍｕｌｔｉｃａｓｔ ａｎｄ Ｂｒｏａｄｃａｓｔ Ｓｅｒｖｉｃｅ)と言う。ＭＢＭＳサービスは、無線網を介してブロードキャストあるいは多重伝送形態でマルチメディアを伝送するので、少ない無線資源を利用して多数のユーザにサービスを提供することが可能である。ＬＴＥシステムでは、ＯＦＤＭＡ(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ)を多重接続方式で使用してＭＢＭＳサービスに対して時間と周波数の領域で無線資源を割り当てることが可能である。
【０００４】
現在ＬＴＥシステムのＭＢＭＳサービスは、ＭＢＳＦＮ(Ｍｕｌｔｉｃａｓｔ Ｂｒｏａｄｃａｓｔ Ｓｉｎｇｌｅ Ｆｒｅｑｕｅｎｃｙ Ｎｅｔｗｏｒｋ)サブフレームを利用して伝送される。しかしながら、このようなＭＢＳＦＮサブフレームは、リレー(ｒｅｌａｙ)、ポジショニング(ｐｏｓｉｔｉｏｎｉｎｇ)などＭＢＭＳを除外した他の用途でも使われる可能性がある。したがって、ＭＢＭＳ用で使われるＭＢＳＦＮサブフレームを効果的に区分する必要がある。
【発明の概要】
【発明が解決しようとする課題】
【０００５】
したがって、本発明は、ＭＢＭＳ伝送用で使用するようになるＭＢＳＦＮサブフレームをＳＩＢ２情報により決定されたＭＢＳＦＮサブフレームから効率的に区分できるようにする制御情報の構成装置及び方法を提供することをその目的とする。
【課題を解決するための手段】
【０００６】
上記目的を達成するために、本発明の一側面による制御情報の構成方法は、マルチキャストブロードキャストサービスのための少なくとも一つのサブフレームの割当パターンに対する制御情報を構成する方法であって、各々のサブフレームの割当パターンに対してラジオフレーム単位の周期を比較し、前記少なくとも一つのサブフレームの割当パターンが繰り返される単位区間を設定するステップと、前記設定された単位区間内でマルチキャストブロードキャストサービスのために割り当てられたサブフレームの情報を含む制御情報を構成するステップと、を含む。
【０００７】
前記制御情報は、ビットマップの形態で構成することができ、前記ビットマップは、前記設定された単位区間内の全てのサブフレームに対する割り当て情報を含むことができる。
【０００８】
また、前記ビットマップは、ラジオフレーム単位及びサブフレーム単位のマルチキャストブロードキャストサービスのための資源割当に関する情報を含む一つの連続された形態で構成することができる。
【０００９】
前記制御情報は、前記設定された単位区間内でＭＢＳＦＮのために割り当てられたサブフレームに対する情報を含む上位ビットマップと、前記上位ビットマップの中でマルチキャストブロードキャストサービスのために割り当てられたサブフレームに対する情報を含む下位ビットマップと、を含むことができる。
【００１０】
前記少なくとも一つのサブフレームの割当パターンが繰り返される単位区間は、前記少なくとも一つのサブフレームの割当パターンの全ての周期値の最小公倍数に設定することができ、前記少なくとも一つのサブフレームの割当パターンの全ての周期値の最小公倍数に設定された単位区間内でサブフレームの割当パターンが繰り返される場合、前記少なくとも一つのサブフレームの割当パターンが繰り返される単位区間は、サブフレームの割当パターンが繰り返される最小の区間に設定することもできる。
【００１１】
本発明の他の側面による制御情報の構成方法は、一定な周期で繰り返される割当パターンを有する無線資源の割り当てのための制御情報の構成方法であって、少なくとも一つの無線資源の割当パターンが繰り返される単位区間を設定するステップと、前記設定された単位区間が一定な割当パターンを共有するサブ−単位区間を含む場合、前記単位区間を各サブ−単位区間に区分して設定するステップと、前記単位区間及び前記サブ−単位区間に対する無線資源の割当情報を含む制御情報を構成するステップと、を含む。
【００１２】
前記制御情報は、前記サブ−単位区間の類型に関する情報及び各サブ−単位区間における割当パターンに関する情報を含む階層的構造で構成することができる。
【００１３】
また、前記制御情報は、前記設定された単位区間内で少なくとも一つのマルチキャストチャンネルに共通に割り当てられる共通資源の割当制御情報と、各マルチキャストチャンネルに対する割当制御情報と、を含むことができる。
【００１４】
前記各マルチキャストチャンネルに対する割当制御情報は、各マルチキャストチャンネルに割り当てられた無線資源の終了位置を使用して設定することができる。
【００１５】
本発明のまた他の側面による制御情報の構成装置は、マルチキャストブロードキャストサービスのための少なくとも一つのサブフレームの割当パターンに対する制御情報を構成する装置であって、サブフレームの割当パターンの各々に対してラジオフレーム単位の周期を比較し、前記少なくとも一つのサブフレームの割当パターンが繰り返される単位区間を設定し、前記設定された単位区間内でマルチキャストブロードキャストサービスのために割り当てられたサブフレーム情報を含む制御情報を構成することを特徴とする。
【００１６】
本発明のまた他の側面による制御情報の構成装置は、一定な周期で繰り返される割当パターンを有する無線資源の割り当てのための制御情報の構成装置であって、少なくとも一つの無線資源の割当パターンが繰り返される単位区間を設定し、前記設定された単位区間が一定な割当パターンを共有するサブ−単位区間を含む場合、前記単位区間を各サブ−単位区間に区分して設定し、前記単位区間及び前記サブ−単位区間に対する無線資源の割当情報を含む制御情報を構成する。
【００１７】
ここで、本発明による制御情報の構成装置は、基地局またはＭＣＥ(Ｍｕｌｔｉ−Ｃｅｌｌ/Ｍｕｌｔｉｃａｓｔ Ｃｏｏｒｄｉｎａｔｉｏｎ Ｅｎｔｉｔｙ)を含む。
【発明の効果】
【００１８】
本発明による制御情報の構成装置及び方法によれば、ＭＢＭＳ用ＭＢＳＦＮのサブフレームの効率的な区分が可能である。
【図面の簡単な説明】
【００１９】
【図１】図１は、本発明が適用されるマルチキャストブロードキャストサービスをサポートする無線通信システムを示す図である。
【図２】図２は、本発明によって少なくとも一つの資源割当パターンを含む場合の制御情報の構成方法の一実施形態を示す図ある。
【図３】図３は、本発明によって少なくとも一つの資源割当パターンを含む場合の制御情報の構成方法の他の実施形態を示す図である。
【図４】図４は、ポジショニングとリレーイングが共に考慮された場合の本発明の一実施形態による制御情報の構成方法を示す図である。
【図５】図５は、ポジショニングとリレーイングが共に考慮された場合の本発明の他の一実施形態による制御情報の構成方法を示す図である。
【図６】図６は、ポジショニングのサブフレームを含むか否かによって、繰り返される二つの類型のパターンを含む場合の本発明の一実施形態による制御情報の構成方法を示す図である。
【発明を実施するための形態】
【００２０】
本発明は、多様に変更可能であり、さまざまな実施形態を有することができる。ここでは、特定の実施形態を図面に例示して詳細に説明する。しかし、これは本発明の好ましい実施態様に過ぎず、本発明の実施の範囲を限定するものではなく、本発明の明細書及び図面内容に基づいてなされた均等な変更および付加は、いずれも本発明の特許請求の範囲内に含まれるものとする。以下、図面上の類似な構成要素に対しては類似な参照符号を付与し、その重複説明は省略する。
【００２１】
第１、第２、Ａ、Ｂなどの用語は、多様な構成要素を説明するために使われるが、前記構成要素は前記用語により限定されるものではない。前記用語は、一つの構成要素を他の構成要素から区別するための目的のみで使われる。例えば、本発明の権利範囲を脱しない範囲で第１の構成要素は第２の構成要素と命名することができ、類似に第２の構成要素も第１の構成要素に命名することができる。「及び/または」という用語は、複数の関連された記載された項目の組み合わせ又は複数の関連された記載された項目の中でいずれか項目を含む。
【００２２】
ある構成要素が他の構成要素に「連結されて」いるか「接続されて」いると言及された時には、その他の構成要素に直接的に連結されているかまたは接続されていることを意味するが、中間に他の構成要素が存在することも可能である。反面、ある構成要素が他の構成要素に「直接連結されて」いるか「直接接続されて」いると言及された時には、中間に他の構成要素が存在しないことに理解されるはずである。
【００２３】
本明細書で使用した用語は、但し、特定の実施形態を説明するために使用されたもので、本発明はこれに限定されるものではない。単数の表現は、文脈上明示しない限り複数の表現を含む。本出願において、「含む」または「有する」などの用語は、明細書上に記載された特徴、数字、ステップ、動作、構成要素、部品またはこれらを組み合わせたものが存在することを指定するもので、一つまたはその以上の他の特徴や数字、ステップ、動作、構成要素、部品またはこれらを組み合わせたものなどの存在または付加可能性をあらかじめ排除しないことに理解されるはずである。
【００２４】
特定しない限り、技術的や科学的な用語を含んでここで使用されるすべての用語は、本発明が属する技術分野で通常の知識を有した者が一般的に理解できるものと同等の意味を有している。一般的に使用される辞典に定義されている用語は、関連技術の文脈上の意味と一致する意味を有するものと解釈し、本出願において明白に定義しない限り、理想的や過度に形式的な意味に解釈されない。
【００２５】
以下、添付した図面を参照して本発明の好ましい実施形態について詳細に説明する。以下、図面上の同一な構成要素に対しては同一な参照符号を付与し、その重複説明は省略する。
【００２６】
図１は、本発明が適用されるマルチキャストブロードキャストサービスをサポートする無線通信システムを示す。
【００２７】
ＭＢＭＳをサポートする技術の中で複数個のセルから一定な期間の間時間的に同期化された共通の信号を伝送する技術をＭＢＳＦＮ(Ｍｕｌｔｉｃａｓｔ Ｂｒｏａｄｃａｓｔ Ｓｉｎｇｌｅ Ｆｒｅｑｕｅｎｃｙ Ｎｅｔｗｏｒｋ)と称する。
【００２８】
ＭＢＳＦＮ技術を適用する場合、一定エリアにある移動通信ノード(またはセル)が同一無線資源を利用して同時にマルチキャストブロードキャストトラフィックまたは制御データを伝送する。ＭＢＳＦＮ伝送が行わせるＭＢＳＦＮエリア(ＭＢＳＦＮ Ａｒｅａ)は一つあるいは多数個のセルで構成される。また、一つあるいは多数個のＭＢＳＦＮエリアは、ＭＢＳＦＮの同期化エリア(Ｓｙｎｃｈｒｏｎｉｚａｔｉｏｎ Ａｒｅａ)に含まれて物理階層側面で同期化された伝送が可能である。３ＧＰＰのＬＴＥシステム、ＩＥＥＥの８０２.１６ｍなどでＭＢＭＳサービスのためのＭＢＳＦＮ伝送をサポートする。
【００２９】
一方、ＭＢＭＳサービスのためのＭＢＭＳトラフィックは、マルチキャストチャンネル(ＭＣＨ：伝送階層)を通じて伝送されるが、このような伝送階層上のマルチキャストチャンネルは、ＭＡＣ階層の論理チャンネルであるマルチキャスト制御チャンネル(ＭＣＣＨ)及びマルチキャストトラフィックチャンネル(ＭＴＣＨ)とマッピングされる。マルチキャストトラフィックチャンネルは、ネットワークから端末に伝送されるトラフィックデータのためのポイント−対−マルチポイントの下向きリンクチャンネルである。また、マルチキャストの制御チャンネルは、一つ以上のマルチキャストのトラフィックチャンネルのために、ネットワークから端末に伝送されるＭＢＭＳ制御情報に使われるポイント−対−マルチポイントの下向きリンクチャンネルである。マルチキャストの制御チャンネル及びマルチキャストのトラフィックチャンネルはＭＢＭＳを受信する端末でのみ使われる。
【００３０】
ＭＢＳＦＮサブフレーム内では、特定ＭＣＨ(Ｍｕｌｔｉｃａｓｔ Ｃｈａｎｎｅｌ)の伝送のために特定パターンのサブフレームが割り当てられるが、これをＭＣＨサブフレームの割当パターン(ＭＳＡＰ：ＭＣＨ Ｓｕｂｆｒａｍｅ Ａｌｌｏｃａｔｉｏｎ Ｐａｔｔｅｒｎ)という。この時、サブフレームが時間的に必ず隣接する必要はない。ＭＴＣＨを含む全てのＭＣＨのためのＭＳＡＰはＭＣＣＨ上でシグナリングされる。ＭＳＡＰ ｏｃｃａｓｉｏｎは、特定週期の間ＭＳＡＰにより定義された一連のサブフレームを含む。このようなＭＳＡＰ ｏｃｃａｓｉｏｎでは、基地局が多くのＭＴＣＨ、そして選択的に該当ＭＣＨ上で伝送されるＭＣＣＨのＭＡＣマルチフレッシングを適用する。ＭＴＣＨの伝送手順でＭＣＣＨでシグナリングされる。
【００３１】
一方、ＭＡＣ階層上位のＲＲＣ(Ｒａｄｉｏ Ｒｅｓｏｕｒｃｅ Ｃｏｎｔｒｏｌ)階層は、端末またはネットワーク内で下位階層の設定、変更、解除と関連された多様な制御機能を実行する。多くのＲＲＣ手続きをサポートするために関連ＲＲＣメッセージが端末とネットワークとの間で交換され、ＲＲＣメッセージには、ＮＡＳ(Ｎｏｎ−Ａｃｃｅｓｓ Ｓｔｒａｔｕｍ)プロトコルから伝達される制御メッセージが含まれる。これらは、無線接続網内では判読されないで端末またはコア網にそのまま伝達される。
【００３２】
ＭＩＢメッセージ、ＳＩＢ１メッセージ、ＳＩメッセージ(Ｓｙｓｔｅｍ Ｉｎｆｏｒｍａｔｉｏｎ)の３つの類型のＲＲＣメッセージがシステム情報を伝達するために使用される。ここで、システム情報は、システム情報ブロック(ＳＩＢ)という形態で構成され、各システム情報ブロックは機能的に関連された一連のパラメータを含む。システム情報ブロックはその性格によって、端末のネットワークへの初期接続に必須的なパラメータとして一番よく伝送される限定された個数のパラメータを含むＭＩＢ(Ｍａｓｔｅｒ Ｉｎｆｏｒｍａｔｉｏｎ Ｂｌｏｃｋ)と、該当セルがセル選択に適切なセルであるか否かを決定するために必要なパラメータと、他のＳＩＢの時間領域のスケジューリングと関連された情報を含むＳＩＢ１(Ｓｙｓｔｅｍ Ｉｎｆｏｒｍａｔｉｏｎ Ｂｌｏｃｋ Ｔｙｐｅ１)と、共通的で共有されるチャンネル情報を含むＳＩＢ２(Ｓｙｓｔｅｍ Ｉｎｆｏｒｍａｔｉｏｎ Ｂｌｏｃｋ Ｔｙｐｅ２)などに区分することができる。ＳＩＢブロックのセグメンテーション(ｓｅｇｍｅｎｔａｔｉｏｎ)と連続処理(ｃｏｎｃａｔｅｎａｔｉｏｎ)はＲＲＣ階層で行われる。類似な性格のＳＩＢ同士に縛って伝送周期や方法などのスケジューリングが管理される。
【００３３】
ＬＴＥシステムでは、ＭＢＭＳ伝送に使われるＭＢＳＦＮサブフレームを区分するために、システム情報ＳＩＢ２でＳＡＰ(Ｓｕｂｆｒａｍｅ Ａｌｌｏｃａｔｉｏｎ Ｐａｔｔｅｒｎ)を定義する。ＳＡＰは、オフセットと周期により定義され、その単位はラジオフレームである。一つ以上のＳＡＰを利用してＭＢＳＦＮ伝送に利用されるラジオフレームを選択する。以後、ＳＩＢ２の他の情報である６ビットのビットマップや２４ビットのビットマップを活用してＭＢＳＦＮサブフレームを区分する(ＳｕｂｆｒａｍｅＡｌｌｏｃａｔｉｏｎ)。現在、ＳＩＢ２水準で決定されたＭＢＳＦＮサブフレームは、リレー(ｒｅｌａｙ)、ポジショニング(ｐｏｓｉｔｉｏｎｉｎｇ)などのＭＢＭＳを除外した他の用途でも使われる。
【００３４】
本発明は、ＳＩＢ２において一つ以上のＳＡＰを利用して決定されたＭＢＳＦＮサブフレームの中でＭＢＭＳで使われるサブフレームを効率的に区分する制御情報の構成方法を提示する。また、本発明は、一つのＭＢＳＦＮエリア(ａｒｅａ)内のＭＣＨの割当区間(ａｌｌｏｃａｔｉｏｎ ｐｅｒｉｏｄ)を決定する方法も提示する。
【００３５】
本発明で提示する方法は、繰り返されるラジオフレームのパターンに対する情報を活用することで、サブフレームの割当パターンが繰り返されるラジオフレームを基準としてＭＢＭＳ伝送のために使われるサブフレームを割り当てる方法を提示する。
【００３６】
すなわち、システム情報で伝送されたＭＢＳＦＮサブフレームの設定から一つ以上のＭＣＨが共通で使用するＭＢＳＦＮサブフレームの設定のための制御情報を構成する方法である。ＭＣＨが共通的に使用するＭＢＳＦＮサブフレームの繰り返される割当パターン(ＣＳＡ)と反復週期(ＣＳＡ ｐｅｒｉｏｄ)を制御情報で構成し、これをシステム情報あるいはＭＣＣＨなどのＲＲＣ制御情報で伝送するする。ここで、ＣＳＡが２ＲＦ(Ｒａｄｉｏ Ｆｒａｍｅ)にかけて定義された場合、ＣＳＡ週期＝４ＲＦ(ＣＳＡ２回反復)あるいは８ＲＦ(ＣＳＡ４回反復)などになる。
【００３７】
ＣＳＡの決定は、例えば、最小公倍数あるいはＳＩＢ２におけるＭＢＳＦＮサブフレームの割当パターンが繰り返されることができる最小限の区間などを基準として設定することができる。しかし、ＣＳＡを決定する方法はこのような方法にのみ限るものではない。すなわち、ＣＳＡを決定する方式は、ＳＩＢ２におけるＭＢＳＦＮサブフレームを決定する方式のような制御情報で構成することができる。
【００３８】
本発明の一実施形態によれば、一つ以上のＳＡＰで構成されたＭＢＳＦＮサブフレームからＭＢＭＳ用サブフレームを区分する制御情報を構成する方法の中で一つは、ＳＩＢ２ ＳＡＰの週期の最小公倍数を活用する方法である。ＳＩＢ２ ＳＡＰの周期は、 １、２、４、８、１６、３２の値を有するので、ＳＩＢ２ ＳＡＰの中で最大値を有するＳＩＢ２ ＳＡＰの周期がその対象となる。一例で、ＳＩＢ２ ＳＡＰ１とＳＩＢ２ ＳＡＰ２が存在し、ＳＩＢ２ ＳＡＰ１の周期は、２周期であり、ＳＩＢ２ ＳＡＰ２の周期は、８である場合、最小公倍数は８になり、８を周期として制御情報を構成する。また、他の実施形態は、最小限の同一サブフレームの割当パターンが示される場合、ラジオフレーム単位でその反復周期の間に対する情報とそれに該当する制御情報のみを提供する方法である。
【００３９】
ＭＢＭＳシステムにおいて、ＭＢＳＦＮサブフレームは、ＳＩＢ２情報を通じてラジオフレームが決まった以後、サブフレームの割当ビットマップを活用して区分される。このように決定されたＭＢＳＦＮサブフレームの中でＭＢＭＳ用で使われるサブフレームを分類するために、また他のビットマップが使用される。ビットマップの長さは固定的であるかあるいは可変的であってもよい。
【００４０】
ラジオフレームの割当反復パターンを示す変数とサブフレームの割当を示すビットマップは、各々システム情報ＳＩＢ２やＭＢＭＳ用ＳＩＢ(ＳＩＢ１３)あるいはＭＣＣＨ情報を通じて伝達される。
【００４１】
一方、本発明が適用されるＭＢＭＳシステムは、ＭＭＥ、ＭＣＥ、ＭＢＭＳゲートウェイ(ＭＢＭＳ Ｇａｔｅｗａｙ)、基地局を含んで構成することができる。
【００４２】
ＭＭＥ(Ｍｏｂｉｌｉｔｙ Ｍａｎａｇｅｍｅｎｔ Ｅｎｔｉｔｙ)は、ＵＥ(Ｕｓｅｒ Ｅｑｕｉｐｍｅｎｔ)とＣＮ(Ｃｏｒｅ Ｎｅｔｗｏｒｋ)との間のシグナリングを処理する制御ノードである。
【００４３】
ＭＣＥは、許可制御(ａｄｍｉｓｓｉｏｎ ｃｏｎｔｒｏｌ)及びＭＢＳＦＮ動作を利用したマルチ−セルＭＢＭＳの伝送のためのＭＢＳＦＮエリアのすべての基地局により使われる無線資源の割り当てを担当し、ＭＢＭＳセッションの制御シグナリングに関与する。
【００４４】
本発明の一実施形態によるＭＣＥは、マルチキャストブロードキャストサービスのための少なくとも一つのサブフレームの割当パターンに対する制御情報の構成のために、サブフレームの割当パターンの各々に対してラジオフレーム単位の周期を比較し、少なくとも一つのサブフレームの割当パターンが繰り返される単位区間を設定し、設定された単位区間内でマルチキャストブロードキャストサービスのために割り当てられたサブフレーム情報を含む制御情報を設定する。
【００４５】
また、他の一実施形態によるＭＣＥは、一定な周期で繰り返される割当パターンを有する無線資源の割り当てのために、少なくとも一つの無線資源の割当パターンが繰り返される単位区間を設定し、設定された単位区間が一定な割当パターンを共有するサブ−単位区間を含む場合、単位区間を各サブ−単位区間に区分して設定し、単位区間及びサブ−単位区間に対する無線資源の割当情報を含む制御情報を構成することができる。
【００４６】
ＭＢＭＳ ＧＷは、サービスを伝送する各基地局にＭＢＭＳパケットを送信またはブロードキャスティングする役目を担当する。
【００４７】
以下では、図２乃至図６を参照して本発明の多様な実施形態について具体的に説明する。
【００４８】
図２は、本発明によって少なくとも一つの資源割当パターンを含む場合の制御情報の構成方法の一実施形態を示す。
【００４９】
図２は、ラジオフレームの割当反復パターンが最小公倍数で現われた時、ビットマップを適用してＭＢＭＳ用で使われるサブフレームを区分する方法に関する実施形態を示す。
【００５０】
本実施形態において、ラジオフレームの割当反復パターンを示す変数とビットマップは、ＭＢＭＳ用ＳＩＢ(例えば。ＳＩＢ１３)を通じて伝達される。図２では、一つの単位区間内に二つのＳＩＢ２ ＳＡＰが含まれ、ＳＩＢ２ ＳＡＰ１は、週期＝２、オフセット＝０であり、サブフレームの割り当ては、「１１０１１０」の場合を示す。また、ＳＩＢ２ ＳＡＰ２は、週期＝４、オフセット＝１であり、サブフレームの割り当ては、「００００１０」である。
【００５１】
ここで、サブフレームの割り当てに使われるビットの個数は、一つのラジオフレーム内の全体サブフレームの個数の中でＭＢＳＦＮで割り当てることが可能なサブフレーム個数によって変わる。例えば、３ＧＰＰシステムの中でＦＤＤ(Ｆｒｅｑｕｅｎｃｙ Ｄｉｖｉｓｉｏｎ Ｄｕｐｌｅｘ)フレームの構造を基盤とする場合、サブフレーム０乃至サブフレーム９の中でサブフレーム０、４、５、９の場合は、同期(ｓｙｎｃｈｒｏｎｉｚａｔｉｏｎ)、ページング(ｐａｇｉｎｇ)などの用途として必須的にユニキャストのみで使われる構造であるため、ＭＢＳＦＮフレームでは割り当てることができない。したがって、このような場合、一つのラジオフレームを構成する全体１０個のサブフレームの中で４個のサブフレームを除外した６個のサブフレームのみをＭＢＳＦＮ用で割り当てことが可能である。
【００５２】
図２に示したように、本発明の一実施形態によれば、ＳＩＢ最小公倍数であるＳＩＢ２ ＳＡＰ２の週期、すなわち、週期４を基準としてビットマップを活用してＭＢＭＳサブフレームを区分する。ＳＩＢ２までのＭＢＳＦＮサブフレームの割り当ては総９個のサーブフレームが割り当てられており、この中でＭＢＭＳサービスに割り当てられたサブフレームが図２の下段のように示される場合、この時のビットマップは、「１１１０１００１０」で示すことができる。また、このビットマップは、４個のラジオフレームごとに繰り返されることが分かる。
【００５３】
図３は、本発明によって少なくとも一つの資源割当パターンを含む場合の制御情報の構成方法の他の実施形態を示す。
【００５４】
図３は、ＳＡＰ週期の最小公倍数より小さい単位のラジオフレームの割当反復パターンが発見された場合、ビットマップを適用してＭＢＭＳ用で使われるサブフレームを区分する方法に対する一実施形態である。本実施形態では、ラジオフレームの割当反復パターンを示す変数とビットマップをＭＢＭＳ用ＳＩＢ(ＳＩＢ１３)を通じて伝達する形態の例を示している。
【００５５】
図３の実施形態では、ＳＩＢ２ ＳＡＰが３つ存在する。ＳＩＢ２ ＳＡＰ１は週期(ｐｅｒｉｏｄ)＝２、オフセット＝０、ビットマップ＝「１１０１１０」であり、ＳＩＢ２ ＳＡＰ２は、週期＝４、オフセット＝１、ビットマップ＝「００００１０」であり、ＳＩＢ２ ＳＡＰ３は、週期＝４、オフセット＝３、ビットマップ＝「００００１０」である。この場合、週期の最小公倍数は４であるが、最小の反復区間は２であることが分かる。したがって、２個のラジオフレームが繰り返される構造であり、その中でＭＢＭＳサービスに割り当てられたサブフレームが図３の下段のように示される場合、ＭＢＭＳ用サブフレームを示すビットマップは「１１１０１」で表現できる。
【００５６】
上述の説明を整理すれば、本発明では、一つ以上のＳＩＢ２ ＳＡＰが繰り返される区間にビットマップでＭＢＭＳ用ＭＢＳＦＮのサブフレームを区分する方法を提案する。ＳＩＢ２ ＳＡＰの繰り返される区間は、最小限の区間で同一なパターンが繰り返される区間であるか、あるいはＳＩＢ２ ＳＡＰの間の最小公倍数ほどの週期で繰り返される区間であってもよい。該当制御情報は、ＳＩＢ２、ＭＢＭＳ用ＳＩＢあるいはＭＣＣＨを介して伝達されるか、あるいは三種類の制御情報に部分的に分けられて伝達されてもよい。
【００５７】
また、ＳＩＢ２ ＳＡＰの反復区間を、制御情報に明示して伝達するか自動的に伝達することができる。例えば、明示的な方法の場合、図１の例では、ＭＢＭＳ用ＳＩＢにビットマップと共に反復区間は４であることを示す情報を伝送し、図２では、ＭＢＭＳ用ＳＩＢにビットマップと共に反復区間は２であることを示す情報を伝送する。
【００５８】
ビットマップは、上述のようにＳＩＢ２で決定されたＭＢＳＦＮサブフレームからサブフレームを分類することであるので、全体ラジオフレームを対象としてもよい。前記言及した方式は、主にＳＩＢ２ ＳＡＰから抽出されたサブフレームを対象とするデルタ(ｄｅｌｔａ)ビットマップが適用される方式として、ＳＩＢ２ ＳＡＰと関係なく全てのサブフレームを対象とするビットマップを構成してもよい。例えば、図２の場合、<１１０１１０ ００００１０ １１０１１０ ００００００>のような方式で表現することができる。
【００５９】
ビットマップの長さは、可変的である。また、ビットマップは、一つのビットマップだけではなく階層的に構成することができる。これを表記の便宜上本発明では臨時的にビットマップセット(あるいはビットマッププール(ｐｏｏｌ))と指称する。ビットマップセットは、多数のビットマップ類型を設定して該当区間でどのようなビットマップ類型が使用されるかを示す情報(上位ビットマップ)及び、各類型に対するビット列情報(下位ビットマップ)を含むビット列の構成が可能である。これに関しては、以下の実施形態を参照してより詳しく説明する。また、ビットマップは、ＳＩＢ２ ＳＡＰの最小公倍数あるいはそれと関係ない反復区間のビット列から構成してもよい。
【００６０】
本発明のまた他の実施形態では、ＭＢＭＳサービスのために使われるサブフレームを示すビットマップを構成する一方法として、ポジショニングサブフレームの周期を利用してビットマップを構成する方法を提案する。ポジショニングは、ＳＩＢ２ ＳＡＰで定義されたｒｅｓｅｒｖｅｄ ＭＢＳＦＮのサブフレームの中で{１６、３２、６４、１２８}ラジオフレームを周期として一つのサブフレームを使用することができる。
【００６１】
ここで、本発明の一実施形態によれば、ＳＩＢ２ ＳＡＰの中でｎ３２であるＳＡＰがない場合、ポジショニングの一番小さい反復週期である１６ラジオフレームを基準で一つのビットマップを構成する。１６個のラジオフレームの中でＭＢＭＳサブフレーム抽出するビットマップを利用してマルチキャストのサブフレームの割当週期(ＭＳＡＰ ｏｃｃａｓｉｏｎまたはｐＭＣＨ−ＳｕｂｆｒａｍｅＡｌｌｏｃＰｅｒｉｏｄ)のＭＢＭＳサブフレームを表記する。すなわち、ＭＢＳＦＮのサブフレームとして使用可能性がある９６個のサブフレームの中でＭＢＭＳサブフレームで使われるサブフレームを９６個のビットマップあるいはＳＩＢ２ ＳＡＰで指定されたＭＢＳＦＮサブフレームの個数ほどのビットマップで示し、ポジショニングサブフレームがある場合とない場合の一つのサブフレームの差は自動的にＵＥが認知するようにする方法である。
【００６２】
図４は、ポジショニングとリレーイングが共にに考慮された場合の本発明の一実施形態による制御情報の構成方法を示している。
【００６３】
図４は、ポジショニングとリレーイングが共に慮された時の状況として、ポジショニングは、週期＝１６、ビットマップ＝０００１００、オフセット＝０であり、リレーイング(ｒｅｌａｙｉｎｇ)は、週期＝１、ビットマップ＝０１００００、オフセット＝０である。ＳＩＢ２ ＳＡＰでは、全てのＭＢＳＦＮサブフレーム、すなわち、週期＝１、ビットマップ＝１１１１１１、オフセット＝０であり、ポジショニングとリレーイングを除いた全てのサブフレームは、ＭＢＭＳで使用することを仮定する。図４の実施形態の場合、割当制御情報であるビットマップは、「１０１０１１ １０１１１１ １０１１１１ １０１１１１ １０１１１１ １０１１１１ １０１１１１ １０１１１１ １０１１１１ １０１１１１ １０１１１１ １０１１１１ １０１１１１ １０１１１１ １０１１１１ １０１１１１」になる。
【００６４】
図５は、ポジショニングとリレーイングが共に考慮された場合の本発明の他の一実施形態による制御情報の構成方法を示している。
【００６５】
図５は、図４の場合に比して、ポジショニング周期がより長い場合を示す。ポジショニングの周期が図５のように３２以上である場合、ラジオフレーム１−１６のビットマップは図４のようであるが、ラジオフレーム１７−３２は、ポジショニングのサブフレームを含んでいないので、フレーム１−１６の割当パターンと異なることが分かる。すなわち、ラジオフレーム１７に適用されるビットマップがラジオフレーム１に適用されるビットマップとは異なる。この時、本発明の一実施形態によるビットマップは、図４で使われた、「１０１０１１ １０１１１１ １０１１１１ １０１１１１ １０１１１１ １０１１１１ １０１１１１ １０１１１１ １０１１１１ １０１１１１ １０１１１１ １０１１１１ １０１１１１ １０１１１１ １０１１１１ １０１１１１」のような１６個のラジオフレームを基準として一つのビットマップを作成し、ラジオフレーム１７の４番目のＭＢＳＦＮのサブフレームが使用可能なサブフレームであることを知らせる追加的な情報を含む制御情報を作成して伝達する。
【００６６】
一方、周期が６４である場合、ラジオフレーム１−１６はポジショニングサブフレームであるが、ラジオフレーム１７−３２、３３−４８、４９−６４にはポジショニングサブフレームがない。この時、ラジオフレーム１−１６と１７−３２、３３−４８、４９−６４が相違であるとの追加的な情報を提供してサブフレームの使用可否を表示する。例えば、サブフレームの割り当てを表示するビットマップとともにポジショニングサブフレームの存在有無を示すビット列である「１０００」のような追加情報を提供して、初めて１６個のラジオフレームにのみ一つのサブフレームが空いたことを知らせる。
【００６７】
上述した方法を一層単純化された制御情報で構成して、ポジショニングで使われるサブフレームをポジショニングの反復周期{１６、３２、６４、１２８}と関係なく１６個のラジオフレームを周期としてポジショニングに位置したサブフレームを空いておく方法も可能である。
【００６８】
上述した最小反復週期あるいは最小限の区間の間の同一パターンを利用した制御情報の伝達方法とともに、ポジショニングを考慮して制御情報を構成してビットマップと追加的な情報を一緒に構成する制御情報の構成方法も可能である。
【００６９】
この時の情報伝達方式は、階層的情報伝達を通じてまず最小反復週期の長さと該当ビットマップに対する情報を伝達する。以後、最小反復週期のビットマップがより長い区間の間どのように構成されるか、また他のビットマップを構成してその長さがどのくらいがなるかを、制御情報を通じて伝達する方式である。ここで、最小反復週期の長さとビットマップ、そして、ビットマップが有効な区間及び、それによるまた他のビットマップの長さには制限がない。図６は、これに対する一実施形態を示し、以後詳しく説明する。
【００７０】
上述の実施形態で使われた全ての変数は、固定された値であってもよいし、可変的な値であってよいし、一部は固定された値であり一部は可変的な値であってもよい。また、この時のビットマップもサブフレームの全体が対象になるかＳＩＢ２から選択されたサブフレームに対してのみ適用することができる。
【００７１】
図６は、ポジショニングサブフレームを含むか否かによって、繰り返される二つの類型のパターンを含む場合の本発明による制御情報の構成方法の一実施形態を示す。
【００７２】
図６では、全体的に３２個のラジオフレームを含む一つの単位区間を示している。図６が示す一つの単位区間内には、２ラジオフレームの週期及びオフセット１を有する「０１１０１０」の割当パターンを有するＳＡＰ１及び、４ラジオフレームの週期及びオフセット２を有する「００００１０」の割当パターンを有するＳＡＰ２を含む。また、３２ラジオフレームを周期でオフセット１を有し、００１０００の割当パターンを有するポジショニングの割当パターン及び、２ラジオフレームを周期でオフセット１を有し、０１００００の割当パターンを有するリレーイングの割当パターンを有することで示されている。図６の場合、割当パターンを全体ラジオフレームに対して定義すれば、「００１１０１１ ０１１１０１１ ００１１０１１ ００１１０１１ ００１１０１１ ００１１０１１ ００１１０１１ ００１１０１１」のように表現することができる。
【００７３】
ところが、図６の３２個の全体ラジオフレームは、また各々４ 個のラジオフレームを含む２個類型のサブ−単位区間に区分できることが分かる。この中で一番前に位置する４個のラジオフレームを含むサブ−単位を除いた残りのサブ単位は全て同一なサブフレームの割当パターンを有する。
【００７４】
したがって、図６による本発明の一実施形態では、一つの単位区間内に含まれた全体ラジオフレームに対する割当パターンに関する制御情報を構成しないで、サブ−単位区間の類型に関する情報(例えば、上位ビットマップ)及び各サブ−単位区間における割当パターンに関する情報(例えば、下位ビットマップ)を含む形態の階層的構造で制御情報を構成する。
【００７５】
図６を参照して具体的にその方法について説明すると次のようである。
【００７６】
第１のパターン５０１は、ポジショニングが含まれた場合であり、第２のパターン５０２は、ポジショニングが含まれなかった場合の資源割当パターンを示す。この場合、一つのサブ−単位区間が第１のパターンであるか第２のパターンであるかを示すための上位ビットマップが各々の類型に対して、例えば、類型１に対しては「１０００」、類型２に対しては「００００」のように設定されることができる。また、各パターン別に、ポジショニングが含まれた図６の第１のパターンに対しては「００１１０１１」、そして、ポジショニングが含まれなかった図６の第２のパターンに対しては「０１１１０１１」のような下位ビットマップを構成して表現することができる。
【００７７】
ビット列の長さが固定されて使用される場合、ビット列の長さやパターンの反復数などは既に決まっているので、別途の制御情報で構成しないこともある。
【００７８】
本発明のまた他の実施形態によれば、マルチキャストサブフレームの割当週期(ＭＳＡＰ ｏｃｃａｓｉｏｎあるいはｐＭＣＨ−ＳｕｂｆｒａｍｅＡｌｌｏｃＰｅｒｉｏｄ)が短い時には、マルチキャストサブフレームの割当週期の全体に対するビットマップあるいはデルタビットマップを使用し、マルチキャストサブフレームの割当周期が長い時には、上述した繰り返される区間のビットマップを知らせる方法を使用する。二つの場合を区分することができるマルチキャストサブフレームの割当周期は、ｍｓｅｃを単位とした時、１０、４０、８０、１６０、３２０、６４０、１２８０、２５６０、５１２０、１０２４０になることができる。一実施形態において、１６０ｍｓｅｃを基準として１６０ｍｓｅｃ以下である場合は、全体マルチキャストサブフレームの割当周期に対するビットマップを使用し、１６０ｍｓｅｃを超過する場合は、繰り返されるビットマップを使用する。
【００７９】
また、ＭＣＣＨは、変更週期の以前には変更できないので、ＭＣＨサブフレームの割当制御情報を示すためのビットマップあるいは制御情報は、多数のマルチキャストサブフレームの割当周期が合された期間ほどのＭＢＭＳサブフレームの割当情報を提供する。
【００８０】
その一実施形態として、１２８ラジオフレームを１６ラジオフレーム程度のビットマップあるいはデルタビットマップで表現する。すなわち、一つ以上のＭＣＨが存在する場合、全てのＭＣＨを考慮した共通のＭＢＭＳ用ＭＢＳＦＮの割当制御情報(ＣＳＡ：Ｃｏｍｍｏｎ Ｓｕｂｆｒａｍｅ Ａｌｌｏｃａｔｉｏｎ)を設定した後、各ＭＣＨ別に分けるための制御情報(ＭＳＡ：ＭＣＨサブフレームＡｌｌｏｃａｔｉｏｎ)を共通のＭＢＭＳ用ＭＢＳＦＮの割当制御情報とは別個で設定することができる。
【００８１】
この時、共通のＭＢＭＳ用ＭＢＳＦＮの割当制御情報において、ＭＣＨ別にＭＢＳＦＮサブフレームを割当てるために、各ＭＣＨに割り当てられたサブフレームの長さあるいは時間軸上での終了位置(ｓｆ−ＡｌｌｏｃＥｎｄ−ｒ９、各ＭＣＨ別にサブフレームの終了位置を示し、ＲＲＣメッセージの形態で具現できる)などの制御情報を活用することができる。特に、終了位置を使用する場合には、共通のＭＢＭＳ用ＭＢＳＦＮの割当制御情報を通じて設定されたＭＢＳＦＮサブフレームの終了位置を表示するために、サブフレームの位置を示すインデックスのような定数値を利用して特定ＭＣＨのためのサブフレームの割り当てがどのＭＢＳＦＮサブフレームで終了されるかを設定することができる。
【００８２】
また、本発明によってＭＢＭＳ用サブフレームを構成する方法は、多少短い規則的なパターンが繰り返されるサブフレームの配置方法にも適用可能である。短い期間の基準は、１０、２０、４０、８０、１６０、３２０サブフレームなどを使用することができる。
【００８３】
ここで、ビットマップが固定された長さほど使用される場合、その長さとして１０、２０、４０、８０、１６０、３２０、６４０、１２８０サブフレームあるいは６、１２、２４、４８、９６、１９２、３８４、７６８サブフレームのビットマップを使用することができる。
【００８４】
また、本発明では、マルチキャストサブフレームの割当週期(ＭＳＡＰ ｏｃｃａｓｉｏｎあるいはｐＭＣＨ-ＳｕｂｆｒａｍｅＡｌｌｏｃＰｅｒｉｏｄ)またはＭＣＡ(ＭＣＨ Ｃｏｍｍｏｎ Ａｌｌｏｃａｔｉｏｎ)を決める一つ方法で、上述のようなＳＩＢ２ ＳＡＰの最小反復区間を使用するかあるいはＳＩＢ２ ＳＡＰの最小反復区間の定数倍を使用することができる。
【００８５】
以上において説明した本発明は、本発明が属する技術の分野における通常の知識を有する者であれば、本発明の技術的思想を逸脱しない範囲内で、様々な置換、変形及び変更が可能であるので、上述した実施例及び添付された図面に限定されるものではない。
【図１】
0005599891.tif 000002
【図２】
0005599891.tif 000003
【図３】
0005599891.tif 000004
【図４】
0005599891.tif 000005
【図５】
0005599891.tif 000006
【図６】
0005599891.tif 000007